(57)【特許請求の範囲】
【請求項１】
自動止水装置を介して水洗トイレの貯水タンクに上水を供給する上水供給路と、
上記上水供給路での通水を検出する通水検出手段と、
少なくとも浴槽内の残り湯を含む雑用水を上記貯水タンクに直接供給する流路となる雑用水供給路と、
上記通水検出手段の検出値に基づいて上記雑用水供給路を介して上記貯水タンクへの雑用水の供給及び停止を行なう雑用水供給手段とを備え、
上記通水検出手段として水の流量を検出する流量検出装置を用い、該流量検出装置の検出流量に基づいて上記貯水タンク内の貯水量が満水となる前の所定のタイミングを判断して上記雑用水供給路からの雑用水の供給を上水の供給に切り替えることを特徴とする雑用水利用装置。
【請求項２】
上記上水供給路の上流側を給湯器の出湯経路に接続したことを特徴とする請求項１記載の雑用水利用装置。
【発明の詳細な説明】
【０００１】
【発明の属する技術分野】
本発明は雑用水を水洗トイレに利用する雑用水利用装置に関する。
【０００２】
【従来の技術】
従来から、雑用水を水洗トイレに利用する雑用水利用装置が知られている。例えば浴槽内の残り湯を利用するものでは、浴槽から水洗トイレの貯水タンク内に浴槽水を供給する浴槽水供給路を形成し、貯水タンク内に浴槽水を送り込むことで水洗トイレの流し水に浴槽水を利用して節水することができる。
【０００３】
【発明が解決しようとする課題】
上述した構成では、貯水タンクの上部に手洗い用の注水管を備えたものでは手洗い用の水まで雑用水となってしまい不衛生である。また、便器内に最終的に残る水まで雑用水にすると臭いが発生してしまう。そのため、ある程度の上水を供給しつつ雑用水を別途供給する構成が望ましいが、従来の構成に加え単に貯水タンク内に雑用水を供給しようとすると、雑用水の供給開始及び停止を判断するために貯水タンク内の水の使用を判断する構成が必要となり、例えば貯水タンク内に水位センサを設けると高コストとなってしまう。
本発明の雑用水利用装置は上記課題を解決し、簡単な構成により上水を供給しつつ雑用水を別途供給することを目的とする。
【０００４】
【課題を解決するための手段】
上記課題を解決する本発明の請求項１記載の雑用水利用装置は、
自動止水装置を介して水洗トイレの貯水タンクに上水を供給する上水供給路と、
上記上水供給路での通水を検出する通水検出手段と、
少なくとも浴槽内の残り湯を含む雑用水を上記貯水タンクに直接供給する流路となる雑用水供給路と、
上記通水検出手段の検出値に基づいて上記雑用水供給路を介して上記貯水タンクへの雑用水の供給及び停止を行なう雑用水供給手段とを備え、
上記通水検出手段として水の流量を検出する流量検出装置を用い、該流量検出装置の検出流量に基づいて上記貯水タンク内の貯水量が満水となる前の所定のタイミングを判断して上記雑用水供給路からの雑用水の供給を上水の供給に切り替えることを要旨とする。
【０００５】
上記課題を解決する本発明の請求項２記載の雑用水利用装置は、請求項１記載の雑用水利用装置において、
上記上水供給路の上流側を給湯器の出湯経路に接続したことを要旨とする。
【０００７】
上記構成を有する本発明の請求項１記載の雑用水利用装置は、水洗トイレの貯水タンク内の水が所定水位まで上昇することにより注水を停止させる自動止水装置を介して上水を供給する上水供給路での通水を検出する通水検出手段を備える。そして、この通水検出手段の検出値に基づいて雑用水の供給及び停止を行なう。即ち、通水検出手段により通水ありと検出することで貯水タンク内の水が流し水として排水され水位が低下したと判断することができ、この状態から通水なしと検出することで貯水タンク内が満水となったと判断することができる。従って、例えば通水ありと検出した時点で雑用水供給路から貯水タンクへの雑用水の供給を開始し、通水なしと検出した時点で雑用水の供給を停止することができる。また、上記雑用水利用装置は、通水検出手段として流量検出装置を用い、検出流量やその積算値等に基づいて貯水タンク内の貯水量が満水となる前の所定のタイミングを判断する。そして、このタイミングで雑用水供給路からの雑用水の供給を上水の供給に切り替えることにより、上水により雑用水を排出して雑用水供給路に雑用水がそのまま残ることを防いで汚れを付着しにくくすることができる。
【０００８】
更に、上記構成を有する本発明の請求項２記載の雑用水利用装置は、上水供給路の上流側を給湯器の出湯経路に接続する。そのため、貯水タンク内の水が流し水として排水され上水供給路に通水されると、給湯器が作動して加熱された温水が供給される。
【００１０】
【発明の実施の形態】
以上説明した本発明の構成・作用を一層明らかにするために、以下本発明の雑用水利用装置の好適な実施例について説明する。
図１は、本発明の第１実施例としての雑用水利用装置を備えた残り湯利用システムの概略構成図である。このシステムは大別して、浴槽水の循環加熱及び水道水の加熱を行なう給湯器付風呂釜１０と、水洗トイレ９０及び洗濯機１００への残り湯供給を行なう雑用水利用装置６０とにより構成される。
【００１１】
給湯器付風呂釜１０は、通水される水を加熱して出湯する出湯部２０と、浴槽３内の湯を循環させて追い焚きする循環加熱部３０と、これらを制御する給湯コントローラ４０とからなる。
【００１２】
出湯部２０は、水道管１に接続される給水路２１と、給水路２１から供給される水をバーナ２２の燃焼熱により加熱する熱交換器２３と、熱交換器２３で加熱された湯を送り出す流路となる出湯路２４とを備え、出湯路２４は台所やシャワー等に湯を供給するための外部出湯管２に接続される。
【００１３】
循環加熱部３０は、浴槽３に戻り流路４と往き流路５とを介して接続される循環路３１と、浴槽水を循環路３１に循環させるためのポンプ３２と、循環される浴槽水をバーナ３３の燃焼熱により加熱する熱交換器３４とを備える。また、出湯部２０の出湯路２４と循環加熱部３０の循環路３１とは給水弁３５を備えた落とし込み流路３６で接続され、浴槽３への出湯を可能としている。
【００１４】
給湯コントローラ４０は、図示しない周知の算術論理演算回路を構成するＣＰＵ，ＲＡＭ，ＲＯＭと、各種センサからの信号を入力する入力インタフェースと、各種アクチュエータに駆動信号を出力する出力インタフェース等から構成される。また、設定温度の設定等の外部操作を行なうための給湯リモコン５０が接続される。
【００１５】
給湯リモコン５０は設定温度を設定するための温度設定スイッチを備える。そして給湯コントローラ４０は、出湯部２０への通水を検出することによりバーナ２２の燃焼動作を開始させ、出湯部２０の出湯温度を給湯リモコン５０で設定された設定温度に近づけるようにバーナ２２の燃焼量を制御するといった出湯温制御を行なう。
【００１６】
水洗トイレ９０は、図示しないレバーの操作により貯水タンク９１底面に設けられる図示しない栓を一時的に開いて貯水タンク９１に溜めた水を流し水として便器に排水する構成で、貯水タンク９１上部から手洗い用の水を注水すると共に貯水タンク９１内に少量の水を供給する注水管９２が設けられ、また貯水タンク９１側面には残り湯を供給する残り湯供給路９３が接続される。また注水管９２の途中には、貯水タンク９１内の水位の上昇に伴って上昇する浮玉に連動して流路面積を減少させ、所定水位まで上昇することで流路を完全に遮断する構成の周知のボールタップ９４（請求項における自動止水装置に対応する）が設けられる。また、万が一ボールタップ９４の故障により貯水タンク９１への注水が停止しない場合にも貯水タンク９１内の水が溢れ出すことを防ぐため、必要以上の水位の水を便器に流すオーバーフロー管９５が設けられる。そして、注水管９２からの水は手洗い用として注水された分がオーバーフロー管９５内に流れ落ちて便器に排水されると共に、少量が貯水タンク９１内に供給される。
【００１７】
雑用水利用装置６０は、水道管１に接続される水供給路６１と外部出湯管２に接続される湯供給路６２とを備え、これらの流路６１，６２には逆止弁６３，６４がそれぞれ設けられ、その下流側には流路を開閉する給水電磁弁６５，給湯電磁弁６６がそれぞれ設けられる。また、水供給路６１の給水電磁弁６５より上流側には給水分岐路６７が分岐して形成され、水洗トイレ９０の注水管９２に手洗い水供給路９６を介して接続される。また給水分岐路６７には、注水管９２からの注水流量を検出するためのタンク側流量センサ６８が設けられる。一方、水供給路６１と湯供給路６２とはそれぞれの電磁弁６５，６６の下流側で合流し、逆止弁６９を介して主流路７０に接続される。また、往き流路５と主流路７０とを接続する浴槽水供給路７１が形成され、往き流路５と浴槽水供給路７１との分岐部には、循環加熱部３０からの浴槽水を浴槽３に戻す循環側Ａ或は主流路７０に流す供給側Ｂの何れかに切替える浴槽水切替弁７２が設けられる。そして主流路７０の下流側は、残り湯供給路９３に接続されるタンク注湯路７３と、洗濯機１００に注湯するための洗濯注湯路７４とに分岐され、タンク注湯路７３には流路を開閉するタンク注湯電磁弁７５が、また洗濯注湯路７４には洗濯機１００への注湯流量を検出するための洗濯機側流量センサ７６がそれぞれ設けられる。また、これらを制御する注湯コントローラ７７を備える。
【００１８】
浴槽水切替弁７２は通常循環側Ａとなっており、循環加熱部３０により浴槽３内の湯を循環して追い焚きする構成となっている。
【００１９】
注湯コントローラ７７は、図示しない周知の算術論理演算回路を構成するＣＰＵ，ＲＡＭ，ＲＯＭと、各種センサからの信号を入力する入力インタフェースと、各種アクチュエータに駆動信号を出力する出力インタフェース等から構成される。注湯コントローラ７７と給湯コントローラ４０とは通信線７８で接続され、給湯コントローラ４０は注湯コントローラ７７からの接点情報に基づいてポンプ３２を駆動させる。
【００２０】
また、注湯コントローラ７７はタンク側流量センサ６８による検出流量が所定の通水流量以上となることで通水ありと判断すると、貯水タンク９１内の水の水位が低下した状態即ち貯水タンク９１内の水が排水されたと判断し、その後検出流量が所定の止水流量以下となることで通水なしと判断すると、満水となったと判断する。また、満水になったと判断する前に検出流量の大きさに基づいて貯水タンク９１内が所定水位まで上昇したかを判断する。即ち、貯水タンク９１内の水位が上昇するほどボールタップ９４により流路面積が減少されて流量が減少するため、検出流量の大きさによりおおよその水位を判断するのである。そして、こうした判断により貯水タンク９１に残り湯を供給するタイミングをはかる。つまり、残り湯を供給するには単に流路を形成するだけでなくポンプ３２を駆動させる必要があるため、貯水タンク９１内の水の排水されたと判断した時点で残り湯の供給運転を開始するのである。そして、貯水タンク９１内の水が満水になる手前の所定水位まで上昇したと判断した時点で残り湯の供給から水の供給に切り替え、満水になったと判断した時点で水の供給を停止する。このように貯水タンク９１内が満水となる前に残り湯の供給から水の供給に切り替えることで、配管内に残り湯が残ることを防いで水あか等により詰まりにくくする。また、所定水位まで上昇したと判断した時点で供給を切り替えることで、切り替えが早すぎることにより上水を多量に浪費してしまうことを防ぐことができると共に、切り替えが遅すぎることにより残り湯が残ってしまうことを防ぐことができる。
【００２１】
また、注湯コントローラ７７には洗濯機１００への注湯モードの切替えといった外部操作を行なうための洗濯注湯リモコン７９が接続される。この洗濯注湯リモコン７９には、洗濯機１００への注湯パターンを所定の注湯モードから選択操作するための操作スイッチが設けられる。そして、注湯コントローラ７７は洗濯機側流量センサ７６の検出流量に基づき洗濯機１００の受水弁１０１の開閉状態を検出することで運転状況を判断し、洗濯注湯リモコン７９で選択された注湯モードに基づいて水，湯，残り湯の３種類の供給源を切り替えるといった注湯制御を行なう。その際、タンク注湯電磁弁７５を閉弁状態とすることで洗濯注湯運転により貯水タンク９１側に注湯されてしまうことを防ぐ。
【００２２】
次に、注湯コントローラ７７の行なう貯水タンク９１への残り湯供給制御処理について、図２のフローチャートを用いて説明する。
タンク側流量センサ６８の検出流量により通水ありと判断すると（Ｓ１：ＹＥＳ）、ポンプ３２を駆動させると共に浴槽水切替弁７２を供給側Ｂに切り替え（Ｓ２）、またタンク注湯電磁弁７５を開弁する（Ｓ３）。そのため貯水タンク９１には注水管９２からの注水に加え、残り湯供給路９３からの残り湯の供給が開始される。その後、貯水タンク９１内の水位の上昇に伴いタンク側流量センサ６８の検出流量が所定値以下まで減少すると（Ｓ４：ＹＥＳ）、給水電磁弁６５を開弁すると共に浴槽水切替弁７２を循環側Ａに切り替え、ポンプ３２の駆動を停止させて（Ｓ５）、残り湯供給路９３からの残り湯の供給を水の供給に切り替える。その後、タンク側流量センサ６８の検出流量により通水なしと判断した時点で（Ｓ６：ＹＥＳ）、給水電磁弁６５を閉弁すると共にタンク注湯電磁弁７３を閉弁して（Ｓ７）水の供給を終了させる。
【００２３】
上述したような制御により、水洗トイレ９０で図示しないレバーを操作すると、貯水タンク９１底面の図示しない栓が一時的に開いて貯水タンク９１に溜まっていた水が便器に排水される。そして、この水位の低下により注水管９２からの注水が開始され、間もなく残り湯供給路９３からの残り湯の供給が開始される。その際、注水管９２からの上水は手洗い用の分が上部から注水されて手洗いに使用された後オーバーフロー管９５内に流れ落ちて便器に排水されると共に、少量が貯水タンク９１内に供給される。一方、残り湯供給路９３からの残り湯は便器には流れず貯水タンク９１内に溜まっていく。従って、便器には手洗い後の水のみが継続して排水され、最終的に便器内に残ることとなる。その後、貯水タンク９１内の水が満水となる手前の所定水位まで上昇すると残り湯供給路９３からの残り湯の供給が水の供給に切り替わる。そして貯水タンク９１内が満水となってボールタップ９４により流路が閉じられ注水管９２からの注水が停止すると、残り湯供給路９３からの水の供給も停止される。
【００２４】
以上説明したように、第１実施例の雑用水利用装置６０によれば、貯水タンク９１内の水の一部を残り湯でまかなって節水することができ、また貯水タンク９１が満水となる前に残り湯供給路９３からの供給を水に切り替えることで、残り湯供給路９３の配管内に残り湯が残ることを防いで水あか等の付着により詰まりにくくすることができる。更に、必要な上水は雑用水と別経路で供給する構成により、手洗い用の水に上水を使用することができるため衛生的であり、また便器内に最終的に残る水は残り湯ではなく手洗い後の水であるため臭いの発生を防ぐことができ、しかも手洗い後の水を利用するため節水効果が高い。加えて、貯水タンク９１内の水位をタンク側流量センサ６８の検出流量に基づいて比較的正確に判断することができるため、できるだけ多くの残り湯を供給すると共に配管内に残り湯が残ることを防ぐ適切なタイミングで残り湯の供給から水の供給への切り替えを行なうことができる。しかも、タンク側流量センサ６８の検出流量の大きさにより水位を判断する構成により貯水タンク９１内に水位センサ等を設ける必要がなく、貯水タンク９１から離れた場所で検出することができるため安価に構成することができる。
【００２５】
次に、第２実施例について説明する。図３は第２実施例としての残り湯利用システムの概略構成図である。基本的な構成は第１実施例の残り湯利用システム（図１）と同一であるが、雑用水利用装置６０が洗濯機９０への注湯機能を備えていない点で異なる。その他重複する部分に関しては同一符号を付してその説明を省略する。
【００２６】
雑用水利用装置６０は、水道管１に接続された水供給路６１を備え、その下流側は水洗トイレ９０の注水管９２に手洗い水供給路９６を介して接続される。また、水供給路６１には貯水タンク９１への注水流量を検出するためのタンク側流量センサ６８が設けられる。また、往き流路５を分岐する浴槽水供給路７１が形成され、その下流側は貯水タンク９１への残り湯供給路９３に接続される。また、往き流路５と浴槽水供給路７１との分岐部には循環加熱部３０からの浴槽水を浴槽３に戻す循環側Ａ或は浴槽水供給路７１に流す供給側Ｂの何れかに切替える浴槽水切替弁７２が設けられる。また、これらを制御する注湯コントローラ７７を備える。
【００２７】
次に、注湯コントローラ７７の行なう貯水タンク９１への残り湯供給制御処理について、図４のフローチャートを用いて説明する。
タンク側流量センサ６８の検出流量により通水ありと判断すると（Ｓ１：ＹＥＳ）、ポンプ３２を駆動させると共に浴槽水切替弁７２を供給側Ｂに切り替えて（Ｓ２）、残り湯供給路９３からの残り湯の供給を開始する。その後、タンク側流量センサ６８の検出流量により通水なしと判断した時点で（Ｓ３：ＹＥＳ）、浴槽水切替弁７２を循環側Ａに切り替えると共にポンプの駆動を停止させる（Ｓ４）。
【００２８】
上述したような制御により、水洗トイレ９０で図示しないレバーを操作すると、貯水タンク９１底面の図示しない栓が一時的に開いて貯水タンク９１に溜まっていた水が便器に排水される。そして、この水位の低下により注水管９２からの注水が開始され、間もなく残り湯供給路９３からの残り湯の供給が開始される。その際、注水管９２からの上水は手洗い用の分が上部から注水されて手洗いに使用された後オーバーフロー管９５内に流れ落ちて便器に排水されると共に、少量が貯水タンク９１内に供給される。一方、残り湯供給路９３からの残り湯は便器には流れず貯水タンク９１内に溜まっていく。従って、便器には手洗い後の水のみが継続して排水され、最終的に便器内に残ることとなる。そして貯水タンク９１内が満水となってボールタップ９４により流路が閉じられ注水管９２からの注水が停止すると、残り湯供給路９３からの残り湯の供給も停止される。
【００２９】
以上説明したように、第２実施例の雑用水利用装置６０によれば、貯水タンク９１内の水の一部を残り湯でまかなって節水することができる。更に、必要な上水は雑用水と別経路で供給する構成により、手洗い用の水に上水を使用することができるため衛生的であり、また便器内に最終的に残る水は残り湯ではなく手洗い後の水であるため臭いの発生を防ぐことができ、しかも手洗い後の水を利用するため節水効果が高い。加えて、貯水タンク９１内の水位をタンク側流量センサ６８の検出流量に基づいて判断することで、残り湯の供給開始及び供給停止のタイミングをはかることができる。しかも、タンク側流量センサ６８により通水を検出することで貯水タンク９１内の水の使用を判断する構成により貯水タンク９１内に水位センサ等を設ける必要がなく、貯水タンク９１から離れた場所で検出することができるため安価に構成することができる。
【００３０】
尚、第１実施例において残り湯の供給から水の供給に切り替えるタイミングをタンク側流量センサ６８の検出流量の大きさに基づいて判断したが、これに限ったものではなく、例えば検出流量の積算値に基づいて判断してもよい。また、タイマにより判断してもよい。
また、第１実施例及び第２実施例では水供給路６１からの水を水洗トイレ９０の注水管９２に供給したが、これに限ったものではなく、例えば出湯部２０の外部出湯管からの湯を供給する構成とすれば、手洗いやシャワートイレに温水を使用して冬場でも快適に使用することができる。
また、第１実施例及び第２実施例ではタンク側流量センサ６８の検出流量に基づいて通水の有無を判断したが、これに限ったものではなく、単に通水の有無を判断する水流スイッチを用いてもよい。
【００３１】
以上本発明の実施例について説明したが、本発明はこうした実施例に何等限定されるものではなく、本発明の要旨を逸脱しない範囲において、種々なる態様で実施し得ることは勿論である。
【００３２】
【発明の効果】
以上詳述したように、本発明の請求項１記載の雑用水利用装置によれば、必要な上水を供給しつつ貯水タンク内に雑用水を供給して節水効果を得ることができる。また、上水供給路の通水を検出することで貯水タンク内の水の使用を判断する構成により貯水タンクにセンサを設ける必要がなく、貯水タンクから離れた場所で検出することが可能となり安価に構成することができる。更に、貯水タンク内の貯水量が満水状態となる前に雑用水の供給から上水の供給に切り替える構成により、雑用水の供給後には雑用水供給路に雑用水が残らないようにして汚れを付着しにくくすることができる。
【００３３】
更に、本発明の請求項２記載の雑用水利用装置によれば、手洗いやシャワートイレに温水を供給することが可能となり、冬場にも快適に使用することができる。
【図面の簡単な説明】
【図１】第１実施例としての雑用水利用装置を備えた残り湯利用システムの概略構成図である。
【図２】注湯コントローラの行なう貯水タンクへの残り湯供給制御処理を表わすフローチャートである。
【図３】第２実施例としての雑用水利用装置を備えた残り湯利用システムの概略構成図である。
【図４】注湯コントローラの行なう貯水タンクへの残り湯供給制御処理を表わすフローチャートである。
【符号の説明】
６０…雑用水利用装置、  ６１…水供給路、  ６２…湯供給路、
６５…給水電磁弁、  ６６…給湯電磁弁、  ６８…タンク側流量センサ、
７７…注湯コントローラ、  ９０…水洗トイレ、  ９１…貯水タンク、
９２…注水管、  ９３…残り湯供給路、  ９４…ボールタップ。
【図１】
0003921294.tif 000002
【図２】
0003921294.tif 000003
【図３】
0003921294.tif 000004
【図４】
0003921294.tif 000005